(57)【要約】      （修正有）【課題】人体の声帯部の発声音の矯正と訓練の為に声帯部の外部皮膚上から、模範となる音声振動を正確に効率よく人体の声帯部に伝え、発声矯正の訓練成果を確認・検証できる音声矯正装置を提供する。【解決手段】音声矯正装置は、音声振動の出力部１０として音声振動発生部１２、空気室１３ｄ、弾性膜１３ｃ、クッション部材１３ｂを備え、音声振動発生部１２としてのスピーカの前面部に空気室１３ｄを挟み弾性膜１３ｃが設けられたものであり、スピーカからの音声振動としての空気圧の振動を弾性膜１３ｃで一方向に捕らえ、クッション部材１３ｂにより人体の声帯部に伝えることにより、模範となる音声振動を正確に効率よく人体の声帯部に伝える。また、集音部を備えたことにより発声音を記録・再生して、模範音声と比較して矯正と訓練の成果を確認・検証する。【選択図】図１
2010176110.tif 000002
【特許請求の範囲】
【請求項１】
音声振動発生部と振動伝達部及び前記音声振動発生部と前記振動伝達部のあいだに弾性膜を備え、前記弾性膜と前記音声振動発生部の間に空気室を設け、前記弾性膜を挟んで前記音声振動発生部と反対側に少なくともクッション部材から成る振動伝達部を設けこれを前記振動伝達部として出力部を構成し、前記出力部を駆動するため少なくとも発振部と増幅部及び表示部が設けられ構成されて成ることを特徴とする音声矯正装置。
【請求項２】
前記空気室は密閉空間又は空気室内の音声振動圧力に支障ない程度の空気透過部が設けられた空間であり、前記弾性膜と前記音声振動発生部の間に設けられ、前記音声振動圧力を前記弾性膜に伝え前記振動伝達部へと一方向に伝えるものであり、前記空気透過部は前記振動伝達部が外部から押圧力を受け弾性膜が空気室を圧迫した時、空気室内の過剰な圧力上昇を防止する為のものであることを特徴とする請求項１に記載の音声矯正装置。
【請求項３】
少なくともクッション部材は交換可能であることを特徴とする請求項１、２のいずれかに記載の音声矯正装置。
【請求項４】
前記表示部は少なくとも音声の基本周波数の表示が可能であり、音声の基本波形の表示、又、音声の選択と５線音符による音階表示をタッチパネル式に指示して希望する音階の周波数を前記出力部に出力可能であることを特徴とする請求項１、２、３のいずれかに記載の音声矯正装置。
【請求項５】
音声集音部と記録部を備えたことを特徴とする請求項１、２、３、４のいずれかに記載の音声矯正装置。
【請求項６】
前記出力部とは別に設けられたスピーカ装置により、記録部に記録された音声信号を再生可能であることを特徴とする請求項１、２、３、４、５のいずれかに記載の音声矯正装置。
【発明の詳細な説明】
【技術分野】
【０００１】  本発明は、振動伝達部を人体外部咽喉部に押し当て、選択された音声振動を出力して人体外部から人体皮膚を通して声帯部を振動させ模範となる音声振動とし、該声帯部が自ら振動して発生させる音声振動が前記模範となる音声振動と同期するよう前記声帯部が自ら振動を矯正することにより人体音声発生音の音質の改善・改良、音階の高音・低音拡大、音程の安定等を図る装置であり、声帯模写の訓練にも使用可能な装置であり、さらには、声帯手術後の発声訓練にも使用することを可能とする音声矯正装置に関するものである。
【背景技術】
【０００２】  従来発声訓練は訓練の成果目標として、記録装置に記録された音声を再生したり、訓練指導者の模範音声を聞き一旦自らの成果目標として認識してから、自らの認識に沿うように音声を発声することが行われている。
この様に、模範となる音声に近づくべく、自ら認識した目標音声と実際発声された音声との乖離については、発声された音声を記録装置で記録して再生し再生音声を自らの耳で聞き取り自ら認識している音声と自らの脳内で比較しながら目標音声に近づくべく繰り返し発声訓練をおこなっていて、自らの聞き取り精度と、脳内での比較精度の誤差と認識により目標到達には多くの繰り返し発声訓練が必要であった。【０００３】  しかし、このような発声訓練は声帯部自体にはなんら外部からの働きかけはなく、専ら自らの音声を聞き脳内で比較修正して再認識し再び声帯を振動させて発声するという繰り返しであり、声帯部に人体外部から模範となる振動を与えこの振動に声帯部で発声される音声振動を同期させることで、脳内の認識による声帯部の振動を模範となる振動で誘導し自らの発声音と声帯部の振動を模範となる振動に近づけ、こうして得られた自らの音声とこのときの声帯部の働きを脳内に記憶して、次に発声するときは前記記憶された自らの音声とこのときの声帯部の働きを利用して発声するという発声訓練は行なわれていない。【０００４】  本発明は、音声矯正と発声訓練装置として声帯部に人体外部から模範となる振動を与えるための装置であり、声帯部自体に外部から働きかけを行う出力部と前記出力部を駆動するため少なくとも発振部と増幅部及び表示部が設けられ構成されて成ることを特徴とする音声矯正装置であり、さらには、発声された音声と模範となる音声とを比較できるよう、集音部と記録部及び再生部とを備えることが出来る音声矯正装置である。【０００５】  そして、出力部は音声振動発生部と振動伝達部及び前記音声振動発生部と前記振動伝達部のあいだに弾性膜を備え、前記弾性膜と前記音声振動発生部のあいだに空気室を設け、前記弾性膜を挟んで前記音声振動発生部と反対側に少なくともクッション部材から成る振動伝達部を設けこれを前記振動伝達部として出力部を構成した音声矯正装置であり、また、少なくとも、前記クッション部材は取り付け、取り外し、交換可能である。
【先行技術文献】
【特許文献１】特開平５−３１６５８２
【０００６】  二つの気密室を形成する隔壁の開口部に取り付けられたスピーカが放音する音響の音圧によって生ずる空気振動で密閉容器の外郭を振動させてその振動を身体に伝える音響体感器において、隔壁が、スピーカのコーン紙の振動を受けてそのコーン紙と一体的に振動する振動板で成り、振動板に、一方の気密室に生じた空気振動を他方の気密室に移行させる透孔が穿設されると共に、振動板の外縁部が、振動を吸収する緩衝材を介して密閉容器内に固定されていることを特徴とする音響体感器であり、二つの気密室は透孔により一体となり空気振動し、密閉容器の外郭を振動させる、また、スピーカの取り付けられる隔壁である振動板はその外縁部が振動を吸収する緩衝材を介して密閉容器内に固定されているものである。
【特許文献２】特開平７−３２７２９０
【０００７】  身体装着用手段を備えるとともに、底面部の形状を、身体への装着時に肩胛骨との干渉を回避する形状に設定されるものであり、スピーカは、波板状部によって弾性支持された状態にあり、スピーカの振動に連動してこの波板状部が撓み振動するものであり、スピーカから音圧が発せられるともに、この音圧は圧力波となって裏側半割りケースの底面部に直接的に伝播され、あるいは、まず音圧発生室に空気振動を生じさせる。この空気振動は、画成板の透孔（またはスリット等）を通過して背後空間に伝播され、結果的には容器本体の内部空間全体に空気振動が生じる。これと相まって、スピーカのコーン紙が振動することに起因して、スピーカ自体も画成板の波板状部を撓み変形させながら振動するものである。
【特許文献３】特開平７−２２２７８１
【０００８】  電気信号を記憶する記憶手段と、再生手段と、分離手段と、複数の増幅手段と、各々の電気信号をそれぞれ機械的振動に変換する変換手段とを備えている人体載置手段に載置される体感振動発生装置。
【発明の開示】
【発明が解決しようとする課題】
【０００９】  解決しようとする特許文献１の問題点は、二つの気密室５と６が振動板を挟んで透孔により一体となり空気振動するため、振動のエネルギーが密閉容器の外部全体を振動させることになり、特定の一方向例えば気密室５に振動のエネルギーとして振動する空気圧を必要とする場合コーン紙の振動による空気振動エネルギーとしての空気圧が気密室５から気密室６に移行するため、無駄あるいは邪魔な振動エネルギーを生じさせることです、また、振動板の外縁部が、振動を吸収する緩衝材を介して密閉容器内に固定されているため、前記同様特定の一方向例えば気密室５に振動のエネルギーとして振動する空気圧を必要とする場合コーン紙の振動による空気振動エネルギーとしての空気圧が気密室５で高まるとコーン紙が反作用で押されてスピーカ自身が気密室６側へ移動してしまい、気密室５の空気圧が減少してコーン紙の振動による空気振動エネルギーとしての空気圧を効率よく得る事が出来ない、また、スピーカ自身が移動するのでコーン紙の振動による振動波形に正確さを期待できない。
そこで、スピーカのコーン紙の振動による空気振動エネルギーとしての空気圧を効率よく一方向に伝達する構造が必要になった。【００１０】  解決しようとする特許文献２の問題点は、スピーカは、波板状部によって弾性指示された状態にあり、スピーカの振動に連動してこの波板状部が撓み振動することになる、また、スピーカから音圧が発せられるともに、この音圧は圧力波となって裏側半割りケースの底面部に直接的に伝播され、あるいは、まず音圧発生室に空気振動を生じさせる、この空気振動は背後空間に伝播され、結果的には容器本体の内部空間全体に空気振動が生じる。
これも前記特許文献１と同じく、スピーカから音圧が発生せられるとその反作用でスピーカ自身が移動してしまい、スピーカの音圧を一方向に効率良く得ることが出来ない、また、空気振動エネルギーは容器本体の内部空間全体を振動させるエネルギー使われることになり、同じくスピーカの音圧を一方向に効率良く得ることが出来ない、また、コーン紙の振動による振動波形に正確さを期待できない。【００１１】  解決しようとする特許文献３の問題点は、振動体の構造は「例えばボイスコイルを固定側として」、「各振動板の表面は、人体に直接当接しないようクッションにより覆われている」としか記載されておらず、その具体的構造が図示あるいは記載されていないことです、また、電気信号を記憶する記憶手段と、再生手段と、分離手段と、複数の増幅手段と、各々の電気信号をそれぞれ機械的振動に変換する変換手段とを備えているが、振動は人体への一方的な振動波の供給であり模範となる音声振動に対して、人体の声帯部が発する音声振動とどの程度差異があるのか比較する為の、集音部と集音された音声を再生出力し聞き取るためのスピーカ装置が備わっていないことであり、さらには、表示部において、模範となる音声波形との比較も不可能なので、本発明の音声矯正装置のように、少なくとも音声集音部と前記電気信号をそれぞれ機械的振動に変換する変換手段とは別に設けられたスピーカ装置により、記録部に記録された音声信号を再生し聞き取り可能とし、また、表示部において、模範となる音声波形との比較もできるような機能や発声訓練に必要な集音部を備えていないことも不充分となります。
【課題を解決するための手段】
【００１２】  請求項１に記載による手段は、音声振動発生部と振動伝達部及び前記音声振動発生部と前記振動伝達部のあいだに弾性膜を備え、前記弾性膜と前記音声振動発生部の間に空気室を設け、前記弾性膜を挟んで前記音声振動発生部と反対側に少なくともクッション部材から成る振動伝達部を設けこれを前記振動伝達部として出力部を構成し、前記出力部を駆動するため少なくとも発振部と増幅部及び表示部が設けられ構成されて成ることを特徴としており、具体的には、音声振動発生部としてのスピーカのコーン紙の振動による空気振動エネルギーとしての空気圧を効率よく一方向に伝達する構造であり、そのために、出力部の外郭部内側に固定設置された音声振動発声部としてのスピーカの前面に密閉空間の空気室を挟んだ弾性膜と少なくともクッション部材からなる振動伝達部を備え、この振動伝達部を人体声帯部の外部皮膚に押し当て、音声振動発生部の音声振動を効率よく振動伝達部から人体声帯部に伝え、声帯部の振動に影響を与えるものであり、人体自身の声帯部の振動から声帯部音声の矯正を促すことができる音声矯正装置である。
また、前記出力部を駆動するための少なくとも発信部と増幅部及び表示部が設けられている。【００１３】  請求項２に記載による手段は、前記空気室は密閉空間又は空気室内の音声振動圧力に支障ない程度の空気透過部が設けられた空間であり、前記弾性膜と前記音声振動発生部の間に設けられ、前記音声振動圧力を前記弾性膜に伝え前記振動伝達部へと一方向に伝えるものであり、前記空気透過部は前記振動伝達部が外部から押圧力を受け弾性膜が空気室を圧迫した時、空気室内の過剰な圧力上昇を防止する為のものであることを特徴としており、具体的には、振動伝達部としてのクッション部材が人体声帯部の外部皮膚への押し当ての反作用力により弾性膜が音声振動発声部としてのスピーカの前面の密閉空間の空気室を圧迫して空気室内に過剰な圧力上昇を生じさせ、スピーカの自由な振動を妨げる、言い換えれば模範と成る音声振動を阻害することを防止する為、空気室内の音声振動圧力に支障ない程度の空気透過部が設けられたものである。【００１４】  請求項３に記載による手段は、クッション部材を交換可能とするもので、人体声帯部の形状等に合わせ、その形状、硬さ等の異なるクッション部材を交換使用するものです。
また、クッション部材やカバー膜等の損耗に応じて適宜交換可能とするものです。
交換方法としては、外郭部への取り付け取り外し、マジックテープによる弾性膜への取り付け取り外し等があります。【００１５】  請求項４に記載による手段は、少なくとも音声の基本周波数の表示が可能であり、音声の基本波形の表示、又、音声の選択と５線音符による音階表示をタッチパネル式に指示して希望する音階の周波数を出力部に出力可能であることを特徴とするもので、音声矯正の為模範となる音声の基本周波数の表示、たとえば、音域拡大の為の高音域周波数の表示や低音域周波数の表示。
また、「あ」「い」「う」「え」「お」等母音音声の表示とその基本的波形をその音階にあわせて表示する。
あるいは、音声の選択と５線音符による音階表示をタッチパネル式に指示して希望する音階の周波数を出力部に出力する等が可能となる。
そして、発声訓練にて音声集音部で集音され記録された音声信号と模範となった音声信号の波形を比較表示して、音声矯正の成果を検証することが出来る。【００１６】  請求項５に記載による手段は、音声集音部と記録部を備えたことにより、音声矯正装置として、音声矯正の訓練の成果を音声の記録により検証し正しい訓練目標を定めることが可能となる。【００１７】  請求項６に記載による手段は、出力部とは別に設けられたスピーカ装置により、記録部に記録された音声信号を再生可能であり、音声を矯正する発声者自身が自らの音声をスピーカにより聞き取れるものであり、模範音声と聞き比べることが可能であり、音声矯正の訓練を検証・確認できるものである。
【発明の効果】
【００１８】  本発明の音声矯正装置は、人体の声帯部に音声振動発生部からの音声振動を正確に効率よく伝達できる装置であり、音声矯正のための発声訓練に際し模範となる音声振動波形を正確に効率よく伝達し訓練効果を向上せしめる装置である。【００１９】  また、表示部の適宜な使用や集音部とスピーカ装置により、音声矯正のための発声訓練に際し、迅速で正確な訓練とその訓練の成果の正確な検証が行えることにより、より人体の発声音の矯正、いいかえれば好ましい発音、正しい音階、音域の拡大、手術後の声帯部リハビリ訓練効果向上等が図れる装置であり、特に、手術後の声帯部リハビリ訓練等で訓練指導者は訓練者に常時対面指導しなくてもよく、基本的な発声方法と注意事項を伝えておけば、コンピュータによるプログラムを内蔵した本音声矯正装置により訓練者自身が訓練成果に応じリハビリ訓練の進捗を管理でき、訓練指導者は一度に数人の訓練者を指導することが出来る、これにより、より効果的、能率的、経済的な音声矯正訓練が行える。【００２０】  また、音楽関係では声楽、歌手等の発声訓練、音声関係ではアナウンサー、俳優、芸人、対人対面接客業の話し手等の発声訓練、一般の人たちの好ましい発音・発声訓練に使用することが出来る。
そして、声帯模写のように、他人の声・動物の声・楽器の音・物体の発する音・自然環境音等を模範音として発声訓練に使用することも可能である。
【発明を実施するための最良の形態】
【００２１】  以下、図面を参照して本発明の好ましい実施の形態を説明する。図１は本発明の出力部の構造を示す。図２は本発明の出力部を備え主に操作部と表示部を手動操作可能な音声矯正装置の形態を示した側面図である、図３はこの正面図である。図４は出力部を手で持てるように分離して伝達ワイヤで操作部から電気信号を供給され使用出来る形態を示した図である。図５は主に電気回路の機能をブロック図で示した図である。図６は図１の形態から振動伝達部の形状を簡素化した形態の図である。図７は図４の形態から集音部を出力部に移し取り付けた図である。
【実施例１】
【００２２】  図１は、本発明の音声矯正装置の出力部１０を示す、外郭１０ａにはフレーム取付部１０ｂにより音声振動発生部１２としてのスピーカのフレーム１２ａのフレーム足１２ｊがねじ止め、嵌め込み或いは接着等で固定されている、スピーカのコーン紙１２ｂの前面部は弾性膜１３ｃによって、空気室１３ｄが設けられコーン紙１２ｂの振動を妨げないようになっていると共にコーン紙１２ｂの振動による空気室１３ｄ内の音声振動圧力が弾性膜１３ｃに伝わり弾性膜１３ｃはコーン紙１２ｂの振動を受け振動する、弾性膜１３ｃの振動は振動伝達部１３としてのクッション部材１３ｂと共にカバー膜１３ａを振動させる。カバー膜１３ａは人体の声帯部に人体外部から押し当てられ振動を声帯部に伝達する。
弾性膜１３ｃは弾性ゴムシート、プラスチックフィルム、布膜、プラスチックや金属の薄板等であり、基本的には空気不透過であるが、クッション部材１３ｂやカバー膜１３ａが空気不透過機能を代替しても良い。
振動伝達部１３としてのクッション部材１３ｂとカバー膜１３ａは一体物としても良い、また、弾性膜１３ｃを含めて一体物としても良い。例えば、２枚のプラスチックフィルムの間に複数の密封された空気室を持つクッション材でも良い。
クッション部材１３ｂは特定の中央部と外縁部とでその硬度を異ならせても良く、また、異種材質・硬度の組み合わせでも良い。
振動伝達部１３は外郭１０ａに装着部材１０ｃにより嵌め込み、ねじ止め等で取り付けられ着脱交換可能とすることが出来る。【００２３】  空気透過部１０ｆは音声振動圧力の通過を極力制限する小孔であり、振動伝達部１３が外部から押圧力を受け弾性膜１３ｃが空気室１３ｄを圧迫した時、空気室１３ｄ内の過剰な圧力上昇を防止する為のものでありこれによりコーン紙１２ｂの自由な振動を維持できる、言い換えれば模範と成る音声振動をコーン紙１２ｂが正確に発生できるようにする為にある。また、図１ではフレーム取付部１０ｂに設けられ、空気室１３ｄから空気室１０ｄに連通しているが、空気室１３ｄから外郭１０ａを通過して直接大気と連通しても良い、あるいは、弾性膜１３ｃを通過して直接大気と連通しても良い。【００２４】  空気室１０ｄ、孔１０ｅ、孔１２ｉはコーン紙１２ｂを挟んで空気室１３ｄの反対側に設けられ、コーン紙１２ｂの振動により生じた空気の圧力振動を出力部１０の外部大気中に放散する為のもので、これにより、コーン紙１２ｂの自由な振動を維持できる、言い換えれば模範と成る音声振動をコーン紙１２ｂが正確に発生できるようになる。また、孔１０ｅは空気室１０ｄの容積によっては無くても良い。【００２５】  音声振動発生部１２としてのスピーカの図は概略図でありボイスコイル１２ｃへの電流供給ケーブル等は省略しています。
【実施例２】
【００２６】  図２は、図１の出力部１０を備え、少なくとも発振部と増幅部及び操作部２０、表示部２１が設けられ構成されて成る床上立体型の音声矯正装置を示す側面図である。出力部１０は第１アーム部１１に取り付けられ、第１アーム部１１は調節部１１ａによって、伸縮・上下向き・回転の調節が可能である。操作部２０、表示部２１、集音部２２、調整部２３、は一つのボックスにまとめられ第２アーム部上に設けられている、調整部２４ａは高さ、傾き、遠近等を調整するものである。これらは、支柱部１上に設けられている、支柱部１は上支柱１４、調整部１５、下支柱１６、台座部１７で構成されている。台座部１７は床に置くか、床にボルト等で固定するか、又は、キャスター等車輪を設け移動可能とすることが出来る。
調整部２３は複数備えることが出来、模範となる音声の選択、音声波形の選択や整形調整、音階指定や、高音・低音の周波数調整等を行う。また、表示部でタッチパネル式でこれらの機能を操作・調整することも可能である。
集音部２２は主としてマイクロホンであり、発声者の口元まで、伸縮可能とすることが出来る、また、マイクコード等でつなぎ離して使用することも出来る。
図２は電源部が省略されている。【００２７】  図３は、前記図２の床上立体型の音声矯正装置を示す正面図である。
【実施例３】
【００２８】  図４は、図１の出力部１０を一つのボックスとし、他方に操作部２０、表示部２１、集音部２２、調整部２３等を備えたボックスの間を伝達ワイヤ３０でつないだ音声矯正装置である。この装置は出力部１０を手で持ち使用するもので、設置場所を取らず、持ち運びの便利で、手軽に使用可能とすることが出来る。
集音部２２は主としてマイクロホンであり、発声者の口元まで、伸縮可能とすることが出来る。また、マイクコード等でつなぎ離して使用することも出来る。
電源部は、蓄電池を内蔵しても良い。
【実施例４】
【００２９】  図５は、回路構成のブロック図を示す。
【実施例５】
【００３０】  図６は、図１で示した形態から振動伝達部１３を簡略化して、クッション部材１３ｂを弾性膜１３ｃにマジックテープ１３ｅで取り付け取り外し可能とした形態を示す。
【実施例６】
【００３１】図７は、図４で示した形態から集音部２２を出力部１０に移し取り付けた形態を図である。人体の声帯部と口元はさほど離れていないので、集音部２２としてのマイクロホンは出力部１０に取り付けたほうが使い勝手が良い。また、マイクロホンはマイクコード等でつなぎ離して使用することも出来る。
【産業上の利用可能性】
【００３２】  医療関係では、手術後の声帯部リハビリ訓練等で使用される。訓練指導者は訓練者に常時対面指導しなくてもよく、基本的な発声方法と注意事項を伝えておけば、コンピュータによるプログラムを内蔵した本音声矯正装置により訓練者自身が訓練成果に応じリハビリ訓練の進捗を管理でき、訓練指導者は一度に数人の訓練者を指導することが出来る、これにより、より効果的、能率的、経済的な音声矯正訓練が行える。【００３３】  音楽関係では声楽、歌手等の発声訓練、音声関係ではアナウンサー、俳優、芸人、対人対面接客業の話し手等の発声訓練、一般の人たちの好ましい発音・発声訓練に使用することが出来る。
そして、声帯模写のように、他人の声・動物の声・楽器の音・物体の発する音・自然環境音等を模範音として発声訓練に使用することも可能であり、発声訓練装置、ボイストレーニングマシン、ボイストレーナーとして使用することが出来る。
【図面の簡単な説明】
【００３４】
【図１】本発明の出力部の構造を示す断面図である。
【図２】音声矯正装置の実施例の形態を示す側面図である。
【図３】音声矯正装置の実施例の形態を示す正面図である。
【図４】音声矯正装置の実施例の形態を示す図である。
【図５】音声矯正装置の実施例の機能・回路ブロック図を示す。
【図６】音声矯正装置の出力部の実施例の形態を示す断面図である。
【図７】音声矯正装置の実施例の形態を示す図である。
【符号の説明】
【００３５】  １        支柱部
１０        出力部
１０ａ      外郭
１０ｂ      フレーム取付部
１０ｃ      装着部材
１０ｄ      空気室
１０ｅ      孔
１０ｆ      空気透過部
１１        第１アーム部
１１ａ      調節部
１２        音声振動発生部
１２ａ      フレーム
１２ｂ      コーン紙
１２ｃ      ボイスコイル
１２ｄ      マグネット
１２ｅ      ヨーク
１２ｆ      孔
１２ｇ      センターカバー
１２ｈ      中心位置保持部材
１２ｉ      孔
１２ｊ      フレーム足
１３        振動伝達部
１３ａ      カバー膜
１３ｂ      クッション部材
１３ｃ      弾性膜
１３ｄ      空気室
１３ｅ      マジックテープ
１４        上支柱
１５        調節部
１６        下支柱
１７        台座部
２０        操作部
２１        表示部
２２        集音部
２３        調整部
２４        第２アーム
２４ａ      調節部
３０        伝達ワイヤ
【図１】
2010176110.tif 000003
【図２】
2010176110.tif 000004
【図３】
2010176110.tif 000005
【図４】
2010176110.tif 000006
【図５】
2010176110.tif 000007
【図６】
2010176110.tif 000008
【図７】
2010176110.tif 000009